(57)【要約】【課題】付け爪の接続部が引っかかりにくく、さらにデザイン性も高めることができる付け爪を提供すること。【解決手段】表面には装飾が施され、裏面は人体の爪に貼着され、付け爪本体１１と、紐状部材（チェーン２０）と、この紐状部材（チェーン２０）の一端を付け爪本体１１に接続する接続部（丸カン１０）と、を備え、接続部（丸カン１０）は付け爪本体１１の前記人体の爪の端縁から延出する先端部の裏面に配設されている付け爪１を提供する。【選択図】図１
2008113813.tif 000002
【特許請求の範囲】
【請求項１】
表面は装飾が施され、裏面は人体の爪に貼着される付け爪であって、
付け爪本体と、紐状部材と、この紐状部材の一端を前記付け爪本体に接続する接続部と、を備え、
前記接続部は、前記人体の爪の端縁から延出する前記付け爪本体の先端部の前記裏面に配設されている付け爪。
【請求項２】
前記接続部は、略半円環状に形成され、
前記紐状部材は、一端側に設けられ、指輪に係留可能な部材と、他端側に設けられ、前記略半円環状の部材に引き輪として係留可能な部材と、を有する請求項１に記載の付け爪。
【請求項３】
前記接続部は、辺の長さが互いに異なる平面部材と、当該平面部材の平面と略垂直方向に配設された棒状部材とを有し、
前記紐状部材の端部は、前記平面部材の形状と略相似形の平面が中抜きされることで囲み形状に形成され、前記棒状部材と係留可能な係留部材を有する請求項１に記載の付け爪。
【請求項４】
前記接続部は、前記付け爪本体の裏面に配設された磁石からなる請求項１に記載の付け爪。
【発明の詳細な説明】
【技術分野】
【０００１】
本発明は、付け爪に関し、特に紐状部材を接続可能な接続部を備えた付け爪に関する。
【背景技術】
【０００２】
従来、付け爪の脱落防止とデザイン性の向上を目的として、チェーン等の紐状部材を接続可能な付け爪が提案されてきた。
【０００３】
特許文献１によれば、付け爪は、表面にチェーンの一端を接続する接続部を備え、当該チェーンの他端を指輪に接続することによって、当該付け爪の脱落を防止することができる。
【特許文献１】実用新案第３１００４６２号公報
【発明の開示】
【発明が解決しようとする課題】
【０００４】
しかしながら、特許文献１に開示された技術によっても、当該接続部が付け爪表面から突出することになるため、当該付け爪を人体の爪に装着した場合、接続部自体が何かに引っ掛かって当該付け爪がはがれてしまう可能性がある。
【０００５】
また、当該接続部が付け爪の装飾の邪魔になり、デザイン性を制限する、という課題もある。
【０００６】
そこで、本発明は、付け爪の接続部が引っかかりにくく、さらにデザイン性も高めることができる付け爪を提供することを目的とする。
【課題を解決するための手段】
【０００７】
本発明者らは、研究を重ね、接続部が物に引っかかりにくく、かつ、装飾の邪魔となりにくい付け爪を開発し、本発明を完成するに至った。本発明は、具体的には以下のようなものを提供する。
【０００８】
（１）  表面は装飾が施され、裏面は人体の爪に貼着される付け爪であって、
付け爪本体と、紐状部材と、この紐状部材の一端を前記付け爪本体に接続する接続部と、を備え、
前記接続部は、前記人体の爪の端縁から延出する前記付け爪本体の先端部の前記裏面に配設されている付け爪。
【０００９】
このような構成を備えることにより、前記付け爪は、前記紐状部材を接続する接続部を前記付け爪本体の前記人体の爪の端縁から延出する前記付け爪本体の先端部の前記裏面に配設することができる、という作用を有する。
【００１０】
このことにより、前記接続部は、前記付け爪の表面に施す装飾を邪魔することなく、かつ、前記接続部自体が物に引っ掛かる可能性を低く抑えることができる。
【００１１】
（２）  前記接続部は、略半円環状に形成され、
前記紐状部材は、一端側に設けられ、指輪に係留可能な部材と、他端側に設けられ、前記略半円環状の部材に引き輪として係留可能な部材と、を有する（１）に記載の付け爪。
【００１２】
このような構成を備えることにより、前記付け爪は、前記略半円環状に形成される接続部に、チェーン等の紐状部材を、前記チェーン等が一方の端部に備える開閉式の引き輪金具等を使って着脱自在に接続することができる、という作用を有する。
【００１３】
或いは、チェーン等の紐状部材を前記略半円環状の接続部に通した上で、前記略半円環状の接続部の内径より少し大きなチャームを前記チェーン等の一方の端部が備える開閉式の引き輪金具等を使って接続することにより、前記チェーン等の紐状部材を前記付け爪に接続することができる。
【００１４】
ここで、前記半円環状の接続部はあくまで前記付け爪の裏面側にあるため、前記半円環状の接続部が他のものに引っかかったりする可能性を抑制することができる。また、引き輪金具等の接続金具も前記付け爪の裏面側に接続することで、前記付け爪の表面側の装飾を邪魔することもない。そして、さりげなくチェーン等の紐状部材を接続することができる。
【００１５】
（３）  前記接続部は、辺の長さが互いに異なる平面部材と、当該平面部材の平面と略垂直方向に配設された棒状部材とを有し、
前記紐状部材の端部は、前記平面部材の形状と略相似形の平面が中抜きされることで囲み形状に形成され、前記棒状部材と係留可能な係留部材を有する（１）に記載の付け爪。
【００１６】
このような構成を備えることにより、前記付け爪は、多角形の平面部材を備える接続部に、チェーン等の紐状部材を、前記チェーン等が一方の端部に備える囲み形状に形成された部材を使って着脱自在に接続することができる、という作用を有する。
【００１７】
この接続部側の平面部材と、紐状部材の端部の係留部材とが、重ね合わさることで、付け爪と紐状部材とを接続、分離可能としている。ここで、この平面部材は、辺の長さが互いに異なるため、紐状部材の端部の係留部材（多角形と略相似形の形状）が、所定の向き、方向の場合にのみ、当該接続部と接続、分離可能である。したがって、一度、紐状部材の端部の係留部材と接続部とを接続した後に、紐状部材の端部の係留部材（多角形と相似形の形状）が、平面部材に対して、所定の向き、方向の場合でないと分離しないことから、使用者の無意識のうちに、これらが分離し離れてしまうことを少なくすることが可能である。
【００１８】
（４）  前記接続部は、前記付け爪本体の裏面に配設された磁石からなる（１）に記載の付け爪。
【００１９】
このような構成を備えることにより、前記付け爪は、金属製のチェーン等の紐状部材を容易に連結することができる、という作用を有する。
【００２０】
なお、前記紐状部材は、一端に金属を備え、本体は非金属の部材からなる紐状部材と連結してもよい。また、付け爪本体の裏面に金属プレートを備え、一端に磁石を備える紐状部材を連結してもよい。
【発明の効果】
【００２１】
本発明によれば、前記付け爪本体に前記チェーン等の紐状部材を接続する接続部は、前記付け爪本体の表面に施す装飾を邪魔することなく、かつ、前記接続部自体が物に引っ掛かる可能性を低く抑えることができる。
【発明を実施するための最良の形態】
【００２２】
以下、本発明の実施形態について図面を参照しながら説明する。
【００２３】
図１（ａ）に示すように、本発明の好適な実施形態の一例に係る付け爪１は、付け爪本体１１と、半円環状の接続部（丸カン１０）と、を備えている。丸カン１０には、開閉式の引き輪金具２２０を備えた紐状部材（チェーン２０等）が接続可能である。丸カン１０は、付け爪本体１１の長手方向に対して斜め方向に配設してよい。このように丸カン１０を付け爪本体１１の先端部の裏面側に配設することによって、付け爪１を人体の爪に装着した場合に丸カン１０が何かに引っかかる可能性を抑制すると共に、付け爪本体１１の表面側の装飾を邪魔することがない。
【００２４】
なお、丸カン１０が配設される方向は、付け爪本体１１の長手方向に対して略直交する方向でもよい。なお、本発明の技術的思想によれば、丸カン１０を配設する方向は図示された方向これに限られない。
【００２５】
また、図１（ｂ）に示すように、付け爪１は、丸カン１０にフック２４０を備えたチェーン２０を接続してもよい。
【００２６】
また、図１（ｃ）に示すように、丸カン１０は図１（ａ）に示した例とは反対側の側端に配設してもよい。
【００２７】
また、図１（ｄ）、（ｅ）、（ｆ）に示すように、丸カン１０の代わりに棒状部材（チャームピン１０１、１０６）を配設してもよい。この場合、チャームより小さい内径の引き輪金具２２０等をチャームピン１０１に接続することによって、図１（ａ）乃至図１（ｃ）と同様の効果が期待できる。
【００２８】
図２（ａ）〜（ｃ）に示すように、チェーン２０の他端に指輪４０を接続してもよい。このようにすることで、付け爪１がはがれて脱落し、紛失する可能性を抑制することができる。さらに、指輪４０と付け爪１がチェーン２０で連結されることにより、トータルコーディネートによりファッション性をアピールすることもできる。
【００２９】
図２（ｃ）に示すように、本発明に係る付け爪１を人体の指３０に装着すると、丸カン１０は付け爪本体１１の裏側に隠れるので、すっきりさりげなくチェーン２０を接続することができる。当然のことながら、付け爪本体１１の表面側の装飾を邪魔することもない。
【００３０】
また、例えば、チェーン２０自体を人体の指３０に巻きつけて、アジャスターを使って指輪と固定してもよい。
【００３１】
また、図２（ａ）及び（ｂ）に示すように、他端にチャーム等の断面積の大きな終端部材（終端部）２２３を備えたチェーン２０を、チェーン２０が通る指輪４０の切込み４０１が形成された指輪４０と組み合わせて使用してもよい。例えば、２つの指輪４０を上下逆に、互い違いに重ね合わせ、重ね合わせた切込み４０１にチェーン２０を通過させ、チャーム等の断面積の大きな終端部材（終端部）２２３にて、チェーン２０を固定する。
【００３２】
この場合、チャーム等の断面積の大きな終端部材（終端部）２２３は、指輪４０の切込み４０１を通過できないため、指輪４０とチェーン２０が分離して脱落することを抑止できる。
【００３３】
また、図２（ｂ）に示すように、チェーン２０を指輪４０の内側の接続金具（第１アンカー部材）に接続して、チェーン２０の両端の接続部分を隠すことにより、よりファッション性をアピールしてもよい。また、複数の指輪４０を重ね合わせて、組み合わせ可能な指輪４０に接続してもよい。また、図４（ａ）に示すように、これらのパーツをそれぞれ独立して装着して楽しむこともできる。
【００３４】
また、図３（ａ）に示すように、チャーム２３０を丸カン１０に接続して楽しんでもよい。また、これらのチャーム２３０は図３（ｂ）に示すように、指輪４０に接続することもできる。
【００３５】
また、図３（ｃ）乃至（ｅ）に示すように、付け爪１をブレスレット、ピアス、又はネックレスのチャームとして使用してもよい。
【００３６】
また、図４（ａ）及び（ｂ）に示すように、裏面に略球形の突起部（略球形接続部）１０２を備えた付け爪１に、当該ボールチェーン用接続金具２２１を有するボールチェーン（チェーン２０）を接続してもよい。突起部１０２には、切込みが備えられ、突起部１０２がボールチェーン用接続金具２２１と嵌合する際に、例えば、突起部１０２に対して、ボールチェーン用接続金具２２１が側面から接続され、固定される。
【００３７】
また、図４（ｃ）及び（ｄ）に示すように、裏面に磁石１０３を備えた付け爪１に、磁石或いは鉄製の終端部材２２２を一端に備えるチェーン２０を接続してもよい。
【００３８】
さらに、図４（ｅ）及び（ｆ）に示すように、裏面にフック１０７を備えた付け爪１に、付け具２２５を一端に備えるチェーン２０を接続してもよい。
【００３９】
図４（ｇ）、（ｈ）には、辺の長さが互いに異なる多角形の平面部材を有し、当該平面部材が棒状部材と略垂直方向で、かつ付け爪の裏面に配設された接続部１０８と、当該接続部１０８と略相似形で、当該平面部材の多角形の形状を囲むように形成された中抜き形状の係留部材２２６を備えたチェーン２０とが、示されている。ここで、接続部１０８と、チェーン２０とは、接続部１０８の平面部材の向きに対して、係留部材２２６が所定の向きで重ね合わされることで、接続、分離可能となる。
【００４０】
なお、図面では、辺の長さが互いに異なる三角形の平面部材を有する接続部１０８が示されているが、多角形ではなく、少なくとも一つ丸みをもった形の平面部材を有する接続部１０８であってよい。なお、上記平面部材が所定の厚みや膨らみを有し、立体的な形状の部材であってもよい。
【００４１】
本発明の実施形態によれば、例えば、以下のような付け爪をさらに提供することができる。
【００４２】
（１）  表面は装飾が施され、裏面は人体の爪に貼着される付け爪であって、
付け爪本体と、紐状部材と、この紐状部材の一端を前記付け爪本体に接続する接続部と、を備え、
前記接続部は、前記人体の爪の端縁から延出する前記付け爪本体の先端部の前記裏面に配設されている付け爪。
【００４３】
このような構成を備えることにより、前記付け爪は、前記紐状部材を接続する接続部を前記付け爪本体の前記人体の爪の端縁から延出する前記付け爪本体の先端部の前記裏面に配設することができる、という作用を有する。
【００４４】
このことにより、前記接続部は、前記付け爪の表面に施す装飾を邪魔することなく、かつ、前記接続部自体が物に引っ掛かる可能性を低く抑えることができる。
【００４５】
（２）  前記接続部は、略半円環状に形成される（１）に記載の付け爪。
【００４６】
このような構成を備えることにより、前記付け爪は、前記略半円環状に形成される接続部に、チェーン等の紐状部材を、前記チェーン等が一方の端部に備えるフック状或いは開閉式の引き輪金具等を使って着脱自在に接続することができる、という作用を有する。
【００４７】
或いは、チェーン等の紐状部材を前記略半円環状の接続部に通した上で、前記略半円環状の接続部の内径より少し大きなチャームを前記チェーン等の一方の端部が備える開閉式の引き輪金具等を使って接続することにより、前記チェーン等の紐状部材を前記付け爪に接続することができる。
【００４８】
ここで、前記半円環状の接続部はあくまで前記付け爪の裏面側にあるため、前記半円環状の接続部が他のものに引っかかったりする可能性を抑制することができる。また、引き輪金具等の接続金具も前記付け爪の裏面側に接続することで、前記付け爪の表面側の装飾を邪魔することもない。そして、さりげなくチェーン等の紐状部材を接続することができる。
【００４９】
（３）  前記接続部は、前記付け爪本体の裏面から突出する棒状部材から成り、前記棒状部材の先端側の断面積は基端側の断面積より大きく形成されている（１）に記載の付け爪。
【００５０】
このような構成を備えることにより、前記付け爪は、前記棒状部材の先端側の断面の直径より小さく前記基端側の断面の直径より大きな内径を持つ引き輪金具等を使って、チェーン等の紐状部材を着脱自在に接続することができる、という作用を有する。
【００５１】
また、前記棒状部材は、前記付け爪本体の裏面側に配設されているため、前記棒状部材自身が他のものに引っかかったりする可能性を抑制することができる。
【００５２】
（４）  前記接続部は、前記付け爪本体の裏面から突出する略球形部材からなる（１）に記載の付け爪。
【００５３】
このような構成を備えることにより、前記付け爪は、前記球形部材を包み込んで接続する接続金具等を使って、チェーン等の紐状部材を着脱自在に接続することができる、という作用を有する。
【００５４】
ここで、前記付け爪は、前記略球形部材の代わりに上述の接続金具を備え、略球形部材を一端に備えるボールチェーン等を接続してもよい。
【００５５】
（５）  前記接続部は、前記付け爪本体の裏面に配設された磁石からなる（１）に記載の付け爪。
【００５６】
このような構成を備えることにより、前記付け爪は、金属製のチェーン等の紐状部材を連結することができる、という作用を有する。
【００５７】
なお、前記紐状部材は、一端に金属を備え、本体は非金属の部材からなる紐状部材と連結してもよい。また、付け爪本体の裏面に金属プレートを備え、一端に磁石を備える紐状部材を連結してもよい。
【００５８】
（６）  前記接続部は、前記付け爪本体の先端部の一方の側端に位置している（１）から（５）のいずれかに記載の付け爪。
【００５９】
このような構成を備えることにより、前記付け爪は、前記接続部を前記付け爪本体の先端部の一方の側端に配設することができる、という作用を有する。
【００６０】
このことにより、前記付け爪は、前記先端部の一方の側端にすっきりとチェーン等の紐状部材を接続することができる。
【００６１】
（７）  前記接続部は前記付け爪本体と一体成型してなる（１）から（４）のいずれかに記載の付け爪。
【００６２】
このような構成を備えることにより、前記付け爪は、前記接続部を前記付け爪本体と一体成型して構成することができる、という作用を有する。
【００６３】
このことにより、前記付け爪の製造工程が簡略化されると共に、接着部分等がないため、丈夫で壊れにくい、という特長を有する。
【００６４】
（８）  前記紐状部材は、他端に指輪を接続可能な（１）から（７）のいずれかに記載の付け爪。
【００６５】
このような構成を備えることにより、前記付け爪は、指輪と接続可能な紐状部材を前記接続部に接続することができる、という作用を有する。
【００６６】
このことにより、前記付け爪は、たとえ貼着した人体の爪から不可抗力等によってはがれても、前記付け爪本体を前記指輪とチェーン等の紐状部材で接続することにより、脱落して紛失する可能性を抑制することができる。
【００６７】
また、単にチェーン等の紐状部材を接続して前記付け爪本体を装飾するだけではなく、指輪と接続することにより、前記付け爪と指輪が全体として一体感のあるアクセサリーとして、ファッション性をアピールすることができる。
【００６８】
（９）  前記紐状部材は、他端に前記指輪との終端部を備え、
前記終端部の断面積は、前記紐状部材の断面積より大きく形成され、
前記指輪は、その内側に前記紐状部材の終端部の断面積より小さく、かつ、前記紐状部材の断面積より大きな断面積を持つ溝が前記指輪の円周と略直行する方向に形成された（８）に記載の付け爪。
【００６９】
このような構成を備えることにより、前記付け爪は、前記指輪の内側に形成された溝に前記他端を通した上で人体の指にはめた指輪と連結可能な紐状部材と連結することができる、という作用を有する。
【００７０】
なお、前記紐状部材は、他端の終端部の断面積が溝の断面積より大きいため、前記一端側へ引っ張られた場合にも前記終端部が指輪の溝を通過することができず、前記指輪から前記紐状部材が脱落することを抑止できる。
【００７１】
（１０）  前記接続部は、基端が前記付け爪本体の裏面に固定され、先端が略半円環状の部材からなり、
前記紐状部材は、一端側に設けられ、指輪に係留可能な第１アンカー部材と、他端側に設けられ、前記略半円環状の部材に係留可能なＴ字状に形成された第２アンカー部材と、を有する（１）に記載の付け爪。
【００７２】
このような構成を備えることにより、略半円環状の部材からなる接続部と、紐状部材のＴ字状に形成された第２アンカー部材とを係留して、連結することができる。
【００７３】
（１１）  前記紐状部材は人体の指又は手首に巻き付けて固定可能なアジャスター部を備える（１）から（１０）のいずれかに記載の付け爪。
【００７４】
このような構成を備えることにより、前記付け爪は、前記紐状部材が人体の指又は手首に巻きつけて固定可能なアジャスター部を備えることができる、という作用を有する。
【００７５】
このことにより、前記付け爪は、指輪がなくとも（１）又は（１０）と同様の作用が期待できる。
【００７６】
（１２）  前記紐状部材と前記接続部とは着脱自在である（１）から（１１）のいずれかに記載の付け爪。
【００７７】
このような構成を備えることにより、チェーン等の紐状部材を取り替えて、チェーン等が不可抗力等によって切れた場合に交換したり、様々な仕様の異なるチェーンのバリエーションを楽しんだりすることができる、という作用を有する。
【００７８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７９】
【図１】本発明の好適な実施形態の一例に係る付け爪を示す斜視外観図である。
【図２】本発明の好適な実施形態の一例に係る紐状部材と指輪との連結例を示す斜視外観図と、付け爪の別の装着例を示す斜視外観図である。
【図３】本発明の好適な実施形態の一例に係る付け爪の別の装着例を示す斜視外観図である。
【図４】本発明の好適な実施形態の一例に係る別の付け爪を示す斜視外観図である。
【符号の説明】
【００８０】
１  付け爪
１０  丸カン
１１  付け爪本体
２０  チェーン
３０  人体の指
４０  指輪
１０１  チャームピン
１０３  磁石
１０２  突起部（略球形部材）
２１０  チェーン本体
２２０  引き輪金具
２２１  ボールチェーン用接続金具
２２２  終端部材
２２３  終端部材（終端部）
２３０  チャーム
４０１  切込み
【図１】
2008113813.tif 000003
【図２】
2008113813.tif 000004
【図３】
2008113813.tif 000005
【図４】
2008113813.tif 000006